(57)【要約】本発明の鉄道車両のドア制御システムは、停車駅のホーム長、鉄道車両の進行方向に対するホーム位置及び予め定められた目標停車位置を含む停車駅情報を記録した車載メモリ（２０１、２０２）と、停車駅のホームに対する実停車位置を計測する実停車位置計測手段と、車載メモリ（２０１、２０２）から得られる目標停車位置と、実停車位置計測手段が計測した車両の実停車位置との停車誤差を算出する停車誤差算出装置（２０３）を備えている。開閉ドア選択装置（２０４）は、停車誤差の大小にかかわらず、停車駅情報と実停車位置とに基づいて、乗客が乗降可能なドアを判定し、開閉ドアを補正する。
2014199491.tif 000002
【特許請求の範囲】
【請求項１】
停車駅のホーム長、鉄道車両の進行方向に対するホーム位置及び予め定められた目標停車位置を含む停車駅情報を記録した車載メモリと、前記停車駅のホームに対する実停車位置を計測する実停車位置計測手段とを備えた鉄道車両のドア制御システムにおいて、  前記車載メモリから得られる目標停車位置と、前記実停車位置計測手段が計測した車両の実停車位置との停車誤差を算出する停車誤差算出装置と、前記停車誤差の大小にかかわらず、前記停車駅情報と前記実停車位置とに基づいて、乗客が乗降可能なドアを判定し、開閉ドアを補正する開閉ドア補正装置を備えたことを特徴とする鉄道車両のドア制御システム。
【請求項２】
前記誤差が予め決められた所定値よりも大きい場合は、前記所定値よりも小さい場合と比較して、異なるドアを開閉することを特徴とする請求項１に記載された鉄道車両のドア制御システム。
【請求項３】
前記誤差の符号に基づいて開閉動作を行うドアを進行方法の前後にずらすことを特徴とする請求項２に記載された鉄道車両のドア制御システム。
【請求項４】
複数ドアの近傍にドア状態を表示する表示機を備え、開閉動作を行うドアと選択されたドアは開閉可能表示を、それ以外は開閉不可能表示を行うことを特徴とする請求項１に記載された鉄道車両のドア制御システム。
【請求項５】
開閉動作を行うドアと選択されなかったドアの表示機に開閉動作を行うドアの位置情報を表示することを特徴とする請求項１に記載された鉄道車両のドア制御システム。
【発明の詳細な説明】
【技術分野】
【０００１】  本発明は、鉄道車両のドア制御システムに関する。
【背景技術】
【０００２】  鉄道車両の編成数、あるいは停止駅のホーム長により、鉄道車両の編成長さが停車するホーム長よりも長い場合に、予め定められたドアを開閉することで、安全な乗降を可能にすることが必要である。  特許文献１には、列車走行路に駅ホームを設け、停車位置にて乗務員により列車側面扉を開閉する鉄道などに搭載される列車乗務員支援システムが記載されている。この支援システムは、列車の存在する駅、番線などの位置データを取得する位置データ送受信装置、基準点からの列車距離データを算出する距離データ算出手段、そして、受信した地上側データと記憶されている車両側データに基づき、駅ホーム上において当該列車の扉開閉が可能な正常停止範囲を算出する制御演算部を有し、該制御演算部は車両位置に関するデータから算出した車両位置データと正常停止範囲とを比較し、駅ホーム乗降可能側方向データを参照して乗降可能な側の開扉操作のみを許容する開扉制御手段を有している。【０００３】  特許文献２には、乗務員による扉の開放操作を許可する車両乗務員支援装置が記載されている。この支援装置は、車両が停車する駅ホームの手前に設置されたＩＤタグから送信されるトリガ信号をＩＤタグ送受信部で受信し、ＩＤタグ送受信部でトリガ信号を受信してから演算処理部により走行速度がゼロになったことを検出するまでの間に列車が走行した距離を演算する。演算処理部は、演算した走行距離に基づいて停車している列車と駅ホームとの相対的な位置関係を特定するとともに当該位置関係から駅ホームを基準として定められた所定の停車範囲内に列車が停車していると判定される場合にのみ、扉インタロック回路部のインタロックを解除して乗務員による扉の開放操作を許可する。【０００４】  特許文献３には、位置検知方法の信頼性を向上させた開閉ドア選択システムが記載されている。この開閉ドア選択システムでは、車両内部からの情報を用いるタコジェネレータ等を用いた位置検知方法と、外部からの情報を用いるＧＰＳ受信機等を用いた位置検知方法を組み合わせて位置検知を行う。両者の位置検知結果が不一致となった場合、運転士あるいは乗務員に正しい位置を確認あるいは設定を行わせる。
【先行技術文献】
【特許文献】
【０００５】
【特許文献１】特開２００９−２４８８３０号公報
【特許文献２】特開２００７−３０２２０５号公報
【特許文献３】特開２０１１−０９３４２９号公報
【発明の概要】
【発明が解決しようとする課題】
【０００６】  しかし、先行技術文献に開示される技術では、列車が予め定められた目標停車位置に対し、許容誤差範囲内で停車した場合を前提としており、このような場合には、乗降可能なドアを開閉することができるが、目標停車位置に停車できない場合は、乗務員にその旨を警告するか、乗務員がドアの開閉動作を行ってもドアが開かないような構成になっている。  より具体的には、従来技術においては、図１に示すように、列車が目標停車位置近傍に停止した場合には、安全に乗降可能な２両目までのドアを開放し、乗客の乗降が可能となる。  しかし、図２に示すように、列車が目標停車位置に停止できず、例えば、２両目の中央部付近までがホームに到達した状態で停車したような場合、列車を移動させて、図１に示すように目標停車位置近辺に停車させることで、初めて２両目までのドアが開閉できるようになる。このため、停車位置の調整に時間を要し、列車の運行遅れの要因となる。【０００７】  また、図２のような停車位置の場合でも、緊急時にはドアを緊急開放する機能はあるものの、ホームに面していないドアまで開放されて、安全な乗降を確保できないおそれがあるため、安易に緊急開放を行うことは困難である。  さらに、車両故障や、先行車両の在線等により、車両を目標停車位置まで移動させることができない場合には、列車の停車位置を調整すること自体が不可能となる。このため列車が、事故や車両故障により、目標停車位置に停車できないような緊急事態が発生すると、乗客が長時間にわたり列車に閉じ込められる要因の一つとなっていた。【０００８】  また、地形やインフラ未整備等の事情により、駅毎にホーム長が異なる路線や、ダイヤ毎に車両編成数が異なる路線が数多く存在する諸外国の場合、列車の停止位置の変動にかかわらず、安全に乗降できるドアのみが確実に開放されるようにするための負担が高く、運行遅れの大きな原因のひとつとなっている。  そこで、本発明の目的は、列車停車位置が目標停車位置から大きくずれた場合でも、乗客が安全に乗降可能なドアを自動的に判別して開閉ドアを補正することで、列車停止位置を修正することなく、スムースな乗降を可能にすることにある。
【課題を解決するための手段】
【０００９】  この課題を解決するため、例えば特許請求の範囲に記載の構成を採用する。  本願は上記課題を解決する手段を複数含んでいるが、その一例を挙げるならば、本発明鉄道車両のドア制御システムは、停車駅のホーム長、鉄道車両の進行方向に対するホーム位置及び予め定められた目標停車位置を含む停車駅情報を記録した車載メモリと、前記停車駅のホームに対する実停車位置を計測する実停車位置計測手段とを備えた鉄道車両のドア制御システムにおいて、前記車載メモリから得られる目標停車位置と、前記実停車位置計測手段が計測した鉄道車両の実停車位置との停車誤差を算出する停車誤差算出装置と、前記停車誤差の大小にかかわらず、前記停車駅情報と前記実停車位置とに基づいて、乗客が乗降可能なドアを判定し、開閉ドアを補正する開閉ドア補正装置を備えるようにした。
【発明の効果】
【００１０】  本発明により、駅毎にホーム長が異なる路線や、ダイヤ毎に車両編成数が異なる路線であっても、また、乗務員の運転技量によって、実停車位置が目標停車位置に対し頻繁にばらつくような場合であっても、さらには、緊急時、事故、車両故障等が原因で、鉄道車両が目標停車位置に停車できない場合であっても、開閉可能なドアが自動的に選択されるため、乗客が安全かつ早急にホームに降りることが可能となる。また、開閉予定のドアを開閉するための停車位置修正に要する時間によって発生する運行遅延を効果的に防止することができる。
【図面の簡単な説明】
【００１１】
【図１】図１は、先行技術において、列車が目標位置に停車した場合に開放可能なドアを示す図である。
【図２】図２は、先行技術において、列車が目標停車位置に停車できなかった場合の開放可能なドアを示す図である。
【図３】図３は、実施例１のブロック図の一例を示す図である。
【図４】図４は、実施例１のフローチャートの一例を示す図である。
【図５】図５は、目標停車位置に対し手前に停車したときの停車誤差を定義する図である。
【図６】図６は、目標停車位置をオーバーランして停車したときの停車誤差を定義する図である。
【図７】図７は、実施例１において開閉可能ドアを算出するためのフローチャートの一例を示す図である。
【図８】図８は、目標停車位置に対する許容誤差を定義する図である。
【図９】図９は、目標停車位置に対し許容誤差範囲内で停車した場合に開放可能なドアを示す図である。
【図１０】図１０は、目標停車位置に対し許容誤差以上手前に停車した場合に開放可能なドアを示す図である。
【図１１】図１１は、目標停車位置に対し許容誤差以上通り越して停車した場合に開放可能なドアを示す図である。
【図１２】図１２は、実施例２の表示器の一例を示す図である。
【図１３】図１３は、実施例２の表示器の表示内容の一例を示す図である。
【図１４】図１４は、実施例２の表示内容の一例を示す図である。
【図１５】図１５は、実施例２の表示内容の他の例を示す図である。
【発明を実施するための形態】
【００１２】  以下本発明の実施形態を、図面を参照して説明する。  ［実施例１］  本実施例では、図１のように列車が目標停車位置に停車した場合だけではなく、図２のように鉄道車両の停車位置が目標停車位置から大きくずれた場合でも、２両目の前方側のドアは乗客が安全に乗降可能であることから、１両目の前後ドアと、２両目の前方ドアのみ開放し、２両目の後方ドア及び３両目以降のドアの開放を禁止する。
【００１３】  図３はこれを実現するためのブロック図の一例である。本実施例では、まず、鉄道車両で算出している走行距離あるいは車載されたＧＰＳ、もしくは地上装置からの信号情報等に基づいて、次に停車する駅を特定し、この駅のホーム長、鉄道車両の進行方向に対するホーム位置、予め定められた目標停車位置、さらには、目標停車位置に停車した場合の開閉予定ドア情報を含む停車駅の駅情報を車載メモリ２０１、２０２から呼び出す。
【００１４】  次に停車位置誤差算出装置２０３においては、車載メモリ２０１から呼び出した目標停車位置と、速度発電機等から算出される実停車位置との停車誤差情報を算出する。なお、実停車位置は、停車駅のホームと実際の停車位置の関係が正確に特定できるものであればよく、停車駅の直前に設置された地上子からの走行距離、鉄道車両の側面に設けた赤外線センサ等によりホームの開始端を検出し、この開始端からの走行距離、あるいは、目標停車位置のＧＰＳ情報と停車位置のＧＰＳ情報との差分など様々な手法により検出することができる。
【００１５】  開閉ドア選択装置２０４においては、車載メモリ２０２に記録された、この停車駅のホーム長、鉄道車両の進行方向に対するホーム位置、さらには開閉予定ドア情報を呼び出し、目標停車位置と停車誤差情報をもとに開閉ドアを選択し、ドアを開閉するドア制御装置２０５に開閉許可を与える。  この構成により目標停車位置と実停車位置との誤差、すなわち、停車誤差情報に基づき開閉ドアを選択することができる。すなわち、停車誤差情報が許容範囲内の場合は、鉄道車両が目標停車位置に停車したものとして、車載メモリ２０２から呼び出した開閉予定ドア情報に基づいて開閉ドアを選択する。
【００１６】  一方、停車誤差情報が、例えば目標停車位置に対し数十メートル手前、あるいは数十メートル通り越したことを示していても、編成車両中、前方側車両あるいは後方側車両のドアのうち、乗客が乗降可能なドアが存在すれば、これを開放可能とする。ただし、その開放範囲が一部でもホームから外れるドアについては、開放を禁止し、重大な事故が発生した場合などに限り、これを解除する緊急開放ボタンを各車両内に別途設置することが好ましい。
【００１７】  図４は、これを実現するためのフローチャートの一例である。ステップＳ３０１では図３の説明で述べたように走行キロ等から車両が停車する駅の停車駅情報を収集する。ステップＳ３０２では停車駅の目標停車位置と実停車位置の誤差を算出する。  ここで停車誤差を図５、図６のように定義する。すなわち、図５のように左向きに進行している車両が、停車位置手前で停止した時の停車誤差をマイナスと定義し、図６のように車両が目標停車位置を通り越して停車した場合の停車誤差をプラスと定義する。
【００１８】  図４におけるステップＳ３０３では車両が駅に停車した否かを判定し、停車した場合にはステップＳ３０４に進み停車誤差に基づいて開閉ドアを選択する。
【００１９】  図７は、算出した停車誤差に基づいて、開閉ドア算出方法を示すフローチャートの一例である。ステップＳ５０１では停車駅情報に基づいて開閉予定ドア情報をメモリから呼び出す。ステップＳ５０２では停車駅のホーム長、目標停車位置、開閉予定ドア情報より許容誤差を算出する。
【００２０】  図８を用いて許容誤差について説明する。図８に示すように車両が目標停車位置に停車した際のホーム最前方から開閉予定の最前部ドアまでの距離を許容誤差Ａ、ホーム最後方から開閉予定の最後部ドアまでの距離を許容誤差Ｂと定義する。
【００２１】  図７のステップＳ５０３では、停車誤差がマイナスであるときは許容誤差Ｂと絶対値を比較し、停車誤差がプラスのときは許容誤差Ａと絶対値を比較する。ここで停車誤差が許容誤差より大きい場合は、予め定められている開閉予定ドアを開けることができないのでステップＳ５０４に進み、そうでない場合は、開閉予定ドア情報に記録されているドアを開放するためにステップＳ５０５に進む。  ステップＳ５０４では停車誤差、ドアの位置に応じて開閉可能なドアを算出し、ステップＳ５０５に進み予め決めたドアとは異なるドアを開閉する。
【００２２】  図９〜図１１は本発明を実施した際のドア開閉の模式図である。図９に示されるように、許容誤差の範囲内に車両が停車した場合は、駅情報によって予め定められたドアが開閉する。一方停車誤差が許容誤差Ａあるいは許容誤差Ｂよりも大きい場合は予定外のドア開閉を行う。すなわち、この模式図の場合、すべてのドアが開閉予定であった１両目と２両目、そして、すべてのドアが開閉禁止予定であった３両目についても、乗客が安全に乗降できるドアに対しては開閉指令を送出し、その開閉範囲が一部でもホームから外れているドアに対しては開閉指令を禁止する。  図１０は、車両が目標停車位置より手前に停車し、ホーム最後方から開閉予定の最後部ドアまでの測定距離が許容誤差Ｂよりも大きい場合を示しており、２両目においては、予定よりも進行方向前方側のドアのみを開閉する。  一方、図１１に示すように、車両が目標停車位置を通り越し、ホーム最前方から開閉予定の最前部ドアまでの測定距離が許容誤差Ａよりも大きい場合は、同じく予定外のドア開閉を行い、開閉予定であった１両目のドアに対し、前方側のドアに対しては開閉指令を禁止し、開閉予定ではなかった３両目の前方側ドアに対し開閉指令を送出する。このように進行方向に対し、前後どちら側の予定外ドアを開閉するかは、図８で定義した停車誤差の符号で決めることができる。また、どれだけのドアを前後ずらして開放可能となるかは、車両における基準位置（例えば、１両目の前端）に対するドア設置位置から算出することができる。
【００２３】  なお、本実施例において、例えば、鉄道車両の側面に設けた赤外線センサ等によりホームの開始端を検出して、停車誤差情報を算出することで、車両単独で停車駅における実停車位置を正確に求めることができる。したがって、予め、車載メモリ２０１、２０２に、設置路線の駅情報を記録するだけで、地上子等のインフラが整備されていない路線でも、本実施例のドア制御システムを鉄道車両に搭載することができる。
【００２４】［実施例２］  本実施例では、実施例１により決定された開閉ドアを乗客に提示して、スムースな乗降を実現するもので、乗客に提示するドア開閉情報や案内情報を、図１２〜図１５を用いて説明する。  図１２は、ドアの情報などに設置される表示機８０１の一例を示しており、ドア情報表示器８０１を備え、ここに以下で説明するような情報を表示することで乗客に利用可能なドア情報を提示する。
【００２５】  図１３、図１４はドア表示器８０１の表示例の一例である。図１３上段は、ドア開閉が可能なドア上方に設置されたドア表示器８０１に表示される内容である。また図１３下段はドア開閉が不可能なドア上方に設置されたドア表示器８０１の表示内容である。
【００２６】  本構成により乗客はドアが開くか否かをドア表示器８０１を確認することで認識できる。  図１５、図１６はドア表示器８０１の別の表示例の一例である。本例ではドア開閉ができないドア上方の表示器８０１の表示内容であり、図１３とは異なり、開閉可能なドアがどの方向にあるかを提示することで、これを事前に表示することで、乗客に速やかな移動を促すことができる。本例では許容誤差がマイナスの場合であり、図１５では、ドア開閉が禁止された後方車両に設置された表示器で、進行方向前方のドアへの案内を表示している。また図１６のように言葉でなく図的に表してもよい。本例ではドアの表示器はドア情報として説明したが、本発明はこれに限らずドア周辺の表示器もしくはドア開閉ボタン付近のランプによっても同様な情報を提供できる。  さらに、車両側からプラットホーム側に開閉ドア情報を送信し、こうしたドア開閉情報や案内情報をプラットホーム側のディスプレイで表示するようにしてもよい。
【００２７】  以上、実施例に即して説明したが、本発明は上記した実施例に限定されるものではなく、様々な変形例が含まれる。例えば、上記した実施例は本発明を分かりやすく説明するために詳細に説明したものであり、必ずしも説明したすべての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２８】２０１  車載メモリ２２０２  車載メモリ１２０３  停車誤差算出装置２０４  開閉ドア選択装置２０５  ドア制御装置８０１  表示器
【図１】
2014199491.tif 000003
【図２】
2014199491.tif 000004
【図３】
2014199491.tif 000005
【図４】
2014199491.tif 000006
【図５】
2014199491.tif 000007
【図６】
2014199491.tif 000008
【図７】
2014199491.tif 000009
【図８】
2014199491.tif 000010
【図９】
2014199491.tif 000011
【図１０】
2014199491.tif 000012
【図１１】
2014199491.tif 000013
【図１２】
2014199491.tif 000014
【図１３】
2014199491.tif 000015
【図１４】
2014199491.tif 000016
【図１５】
2014199491.tif 000017
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
停車駅のホーム長、鉄道車両の進行方向に対するホーム位置、予め定められた目標停車位置及び開閉予定ドア情報を含む停車駅情報を記録した車載メモリと、
前記停車駅のホームに対する実停車位置を計測する実停車位置計測手段とを備えた鉄道車両のドア制御システムにおいて、
前記車載メモリから得られる目標停車位置と、前記実停車位置計測手段が計測した車両の実停車位置との停車誤差を算出する停車誤差算出装置と、
前記停車駅情報に含まれる前記停車駅のホーム長、前記目標停車位置及び前記開閉予定ドア情報から許容誤差を算出し、前記許容誤差と前記停車誤差とを比較することで、乗客が乗降可能なドアを判定し、開閉ドアを補正する開閉ドア補正装置を備えたこと
を特徴とする鉄道車両のドア制御システム。
【請求項２】
前記停車誤差は、前記列車が前記目標停車位置を通り越した場合は正の値、前記目標停車位置の手前で停止した場合は負の値が設定され、
前記許容誤差は、前記車両が前記目標停車位置に停車した際の、ホームの最前方から開閉予定の最前部ドアまでの距離である第一の許容誤差及びホーム最後方から開閉予定の最後部ドアまでの距離である第二の許容誤差を含み、
前記開閉ドア補正装置は、前記停車誤差の符号によって、当該停車誤差と比較する前記許容誤差を選択すること
を特徴とする請求項１に記載された鉄道車両のドア制御システム。
【請求項３】
前記停車誤差が前記許容誤差よりも大きい場合は、前記許容誤差よりも小さい場合と比較して、異なるドアを開閉すること
を特徴とする請求項１に記載された鉄道車両のドア制御システム。
【請求項４】
前記停車誤差の符号に基づいて開閉動作を行うドアを進行方向の前後にずらすこと
を特徴とする請求項３に記載された鉄道車両のドア制御システム。
【請求項５】
複数ドアの近傍にドア状態を表示する表示機を備え、
開閉動作を行うドアと選択されたドアは開閉可能表示を、それ以外は開閉不可能表示を行うこと
を特徴とする請求項１に記載された鉄道車両のドア制御システム。
【請求項６】
開閉動作を行うドアと選択されなかったドアの前記表示機に開閉動作を行うドアの位置情報を表示すること
を特徴とする請求項５に記載された鉄道車両のドア制御システム。
【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
停車駅のホーム長、鉄道車両の進行方向に対するホーム位置、予め定められた目標停車位置及び開閉予定ドア情報を含む停車駅情報を記録した車載メモリと、
前記停車駅のホームに対する実停車位置を計測する実停車位置計測手段とを備えた鉄道車両のドア制御システムにおいて、
前記車載メモリから得られる目標停車位置と、前記実停車位置計測手段が計測した車両の実停車位置との停車誤差を算出する停車誤差算出装置と、
前記停車駅情報に含まれる前記停車駅のホーム長、前記目標停車位置及び前記開閉予定ドア情報から許容誤差を算出し、前記許容誤差と前記停車誤差とを比較することで、乗客が乗降可能なドアを判定し、開閉ドアを補正する開閉ドア補正装置を備えたこと
を特徴とする鉄道車両のドア制御システム。
【請求項２】
前記停車誤差は、前記鉄道車両が前記目標停車位置を通り越した場合は正の値、前記目標停車位置の手前で停止した場合は負の値が設定され、
前記許容誤差は、前記鉄道車両が前記目標停車位置に停車した際の、ホーム最前方から開閉予定の最前部ドアまでの距離である第一の許容誤差及びホーム最後方から開閉予定の最後部ドアまでの距離である第二の許容誤差を含み、
前記開閉ドア補正装置は、前記停車誤差の符号によって、当該停車誤差と比較する前記許容誤差を選択すること
を特徴とする請求項１に記載された鉄道車両のドア制御システム。
【請求項３】
前記停車誤差が前記許容誤差よりも大きい場合は、前記許容誤差よりも小さい場合と比較して、異なるドアを開閉すること
を特徴とする請求項１に記載された鉄道車両のドア制御システム。
【請求項４】
前記停車誤差の符号に基づいて開閉動作を行うドアを進行方向の前後にずらすこと
を特徴とする請求項３に記載された鉄道車両のドア制御システム。
【請求項５】
複数ドアの近傍にドア状態を表示する表示機を備え、
開閉動作を行うドアとして選択されたドアは開閉可能表示を、それ以外は開閉不可能表示を行うこと
を特徴とする請求項１に記載された鉄道車両のドア制御システム。
【請求項６】
開閉動作を行うドアとして選択されなかったドアの前記表示機に開閉動作を行うドアの位置情報を表示すること
を特徴とする請求項５に記載された鉄道車両のドア制御システム。
【手続補正２】
【補正対象書類名】明細書
【補正対象項目名】００１４
【補正方法】変更
【補正の内容】
【００１４】
次に停車誤差算出装置２０３においては、車載メモリ２０１から呼び出した目標停車位置と、速度発電機等から算出される実停車位置との停車誤差情報を算出する。なお、実停車位置は、停車駅のホームと実際の停車位置の関係が正確に特定できるものであればよく、停車駅の直前に設置された地上子からの走行距離、鉄道車両の側面に設けた赤外線センサ等によりホームの開始端を検出し、この開始端からの走行距離、あるいは、目標停車位置のＧＰＳ情報と停車位置のＧＰＳ情報との差分など様々な手法により検出することができる。
【手続補正３】
【補正対象書類名】明細書
【補正対象項目名】００２４
【補正方法】変更
【補正の内容】
【００２４】
［実施例２］
本実施例では、実施例１により決定された開閉ドアを乗客に提示して、スムースな乗降を実現するもので、乗客に提示するドア開閉情報や案内情報を、図１２〜図１５を用いて説明する。
図１２は、ドアの情報などに設置される表示器８０１の一例を示しており、ドア上方に表示器８０１を備え、ここに以下で説明するような情報を表示することで乗客に利用可能なドア情報を提示する。
【手続補正４】
【補正対象書類名】明細書
【補正対象項目名】００２５
【補正方法】変更
【補正の内容】
【００２５】
図１３、図１４は表示器８０１の表示例の一例である。図１３上段は、ドア開閉が可能なドア上方に設置された表示器８０１に表示される内容である。また図１３下段はドア開閉が不可能なドア上方に設置された表示器８０１の表示内容である。
【手続補正５】
【補正対象書類名】明細書
【補正対象項目名】００２６
【補正方法】変更
【補正の内容】
【００２６】
本構成により乗客はドアが開くか否かを表示器８０１を確認することで認識できる。
図１４、図１５は表示器８０１の別の表示例の一例である。本例ではドア開閉ができないドア上方の表示器８０１の表示内容であり、図１３とは異なり、開閉可能なドアがどの方向にあるかを提示することで、これを事前に表示することで、乗客に速やかな移動を促すことができる。本例では許容誤差がマイナスの場合であり、図１４では、ドア開閉が禁止された後方車両に設置された表示器で、進行方向前方のドアへの案内を表示している。また図１５のように言葉でなく図的に表してもよい。本例ではドアの表示器はドア情報として説明したが、本発明はこれに限らずドア周辺の表示器もしくはドア開閉ボタン付近のランプによっても同様な情報を提供できる。
さらに、車両側からプラットホーム側に開閉ドア情報を送信し、こうしたドア開閉情報や案内情報をプラットホーム側のディスプレイで表示するようにしてもよい。
【国際調査報告】
2014199491.tif 000018
2014199491.tif 000019
2014199491.tif 000020
2014199491.tif 000021